(57)【要約】【課題】ピン挿脱線上にピン挿脱空間を確保する構成を前提としながら、ピン挿脱作業時のブームフットピンと周りの構造物の干渉や同ピンの脱落を防止する。【解決手段】上部旋回体２１を構成するアッパーフレーム２２のキャビン２３と左右反対側に、ブームフットピン２６を軸方向に挿脱するのに十分なピン挿脱空間が確保される状態で機器類を設置するとともに、このピン挿脱空間にブラケット３２を設け、このブラケット３２に、ブームフットピン２６を挿脱方向に案内する四角筒状のピンガイド３５を設けた。また、ブラケット３２に、サイドカバー２７を取付けるためのサイドカバー取付部３３、フロントカバー２８を取付けるためのフロントカバー取付部３４、及び工具箱３６を設けた。【選択図】図１
2008019620.tif 000002
【特許請求の範囲】
【請求項１】
下部走行体上に上部旋回体が縦軸まわりに旋回自在に搭載され、この上部旋回体を構成するアッパーフレームの左右一側にキャビンが設置されるとともに、このキャビンよりもアッパーフレーム内側においてブームの基端部がブームフットピンによって取付けられ、かつ、アッパーフレームに各種機器類が設置される建設機械において、上記アッパーフレームの上記キャビンと左右反対側に、上記ブームフットピンを軸方向に挿脱するのに十分なピン挿脱空間が確保される状態で上記機器類を設置し、このピン挿脱空間に、上記ブームフットピンを挿脱方向に案内するピンガイドを設けたことを特徴とする建設機械。
【請求項２】
アッパーフレームにおけるキャビンと左右反対側の側面部をカバーするサイドカバーと、キャビンと左右反対側の前面および上面をカバーするフロントカバーとを備え、ピン挿脱空間をこのサイド、フロント両カバーで覆われた機器室内に形成するととも、このピン挿脱空間にブラケットを設け、このブラケットにピンガイドと、上記サイドカバーを取付けるためのサイドカバー取付部と、上記フロントカバーを取付けるためのフロントカバー取付部とを設けたことを特徴とする請求項１記載の建設機械。
【請求項３】
サイドカバーを開閉自在に取付けることによって機器室を外部に開放可能に構成し、かつ、ブラケットに、工具類が外部から出し入れされる工具箱を設けたことを特徴とする請求項２記載の建設機械。
【発明の詳細な説明】
【技術分野】
【０００１】
本発明はブームフットピンを挿脱するための構造を改良した油圧ショベル等の建設機械に関するものである。
【背景技術】
【０００２】
本発明の好適例である油圧ショベルを例にとって背景技術を説明する。
【０００３】
油圧ショベルは、図７,８に示すようにクローラ式の下部走行体１上に上部旋回体２が縦軸まわりに旋回自在に搭載され、この上部旋回体２の前部に、ブーム３、アーム４、バケット５、及びこれらを作動させる油圧シリンダ（ブーム、アーム、バケット各シリンダ）６,７,８を備えた作業アタッチメント９が取付けられて構成される。
【０００４】
上部旋回体２は、アッパーフレーム１０を備え、このアッパーフレーム１０の左右一側（通常は左側。以下、この例で説明する）にキャビン１１が設置されるとともに、このキャビン１１よりもアッパーフレーム内側（左右方向中間部）に左右一対のブーム取付フレーム１２,１２が設けられ、このブーム取付フレーム１２,１２にブーム３の基端部（ブームフット）３ａがブームフットピン１３によって取付けられる。
【０００５】
また、アッパーフレーム１０の、キャビン１１と反対側（右側）の側面部にサイドカバー１４、前面部と上面部に跨る部分にフロントカバー１５がそれぞれ設けられ、この両カバー１４,１５で覆われた前部右側の機器室１６に燃料タンク１７及び作動油タンク１８を含む各種機器類が設置される。
【０００６】
サイドカバー１４はヒンジ１９によって開閉自在に取付けられ、同カバー開放状態でメンテナンス作業が行われる。
【０００７】
ブーム３は、機械輸送時、メンテナンス時等に上部旋回体２に対して着脱される。この場合、上記のようにブームフットピン１３の左側にはキャビン１１が位置するため、ブームフットピン１３の挿脱は右側からしか行えない。
【０００８】
ところが、ブームフットピン１３の軸心の延長線（以下、ピン挿脱線という）Ｌ上には作動油タンク１８が位置し、ピン挿脱の妨げとなる。
【０００９】
そこで従来は、図８に示すようにこの作動油タンク１８にブームフットピン１３を挿脱するに足るトンネル状の貫通穴２０を設ける手段（公知技術１）、あるいは特許文献１,２に示されているように、機器室１６においてタンク等の機器類をピン挿脱線Ｌから外れた位置に設置することにより、ピン挿脱線Ｌ上にピン挿脱空間を確保する手段（公知技術２）を講じている。
【特許文献１】特開平１０−１８３４７号公報
【特許文献２】特開２０００−２９１０５６号公報
【発明の開示】
【発明が解決しようとする課題】
【００１０】
しかし、公知技術１では作動油タンク１８の形状が複雑となり、加工も面倒でコスト高となる上に、ピン挿脱時に同タンク１８を傷つけるおそれがある等、弊害が大きいため得策でない。
【００１１】
一方、公知技術２,３によると、機器類に手を加えないため公知技術１の問題は解決できるものの、ブームフットピン１３がピン挿脱空間で支持されないため、ピン挿脱作業時（とくにピン取外し時）に、ブームフットピン１３がピン挿脱線Ｌに対し傾いて周りの油圧配管等の構造物と干渉し、あるいはブーム取付フレーム１２,１２から外れた途端に脱落してピン自身や構造物が損傷するという新たな問題が発生していた。
【００１２】
そこで本発明は、ピン挿脱空間を確保する構成を前提としながら、ピン挿脱作業時のブームフットピンと周りの構造物の干渉や同ピンの脱落を防止することができる建設機械を提供するものである。
【課題を解決するための手段】
【００１３】
請求項１の発明は、下部走行体上に上部旋回体が縦軸まわりに旋回自在に搭載され、この上部旋回体を構成するアッパーフレームの左右一側にキャビンが設置されるとともに、このキャビンよりもアッパーフレーム内側においてブームの基端部がブームフットピンによって取付けられ、かつ、アッパーフレームに各種機器類が設置される建設機械において、上記アッパーフレームの上記キャビンと左右反対側に、上記ブームフットピンを軸方向に挿脱するのに十分なピン挿脱空間が確保される状態で上記機器類を設置し、このピン挿脱空間に、上記ブームフットピンを挿脱方向に案内するピンガイドを設けたものである。
【００１４】
請求項２の発明は、請求項１の構成において、アッパーフレームにおけるキャビンと左右反対側の側面部をカバーするサイドカバーと、キャビンと左右反対側の前面および上面をカバーするフロントカバーとを備え、ピン挿脱空間をこのサイド、フロント両カバーで覆われた機器室内に形成するととも、このピン挿脱空間にブラケットを設け、このブラケットにピンガイドと、上記サイドカバーを取付けるためのサイドカバー取付部と、上記フロントカバーを取付けるためのフロントカバー取付部とを設けたものである。
【００１５】
請求項３の発明は、請求項２の構成において、サイドカバーを開閉自在に取付けることによって機器室を外部に開放可能に構成し、かつ、ブラケットに、工具類が外部から出し入れされる工具箱を設けたものである。
【発明の効果】
【００１６】
本発明によると、アッパーフレームのキャビンと反対側（上記例では右側）にピン挿脱空間を確保した上で、このピン挿脱空間にブームフットピンを挿脱方向に案内するピンガイドを設けたから、ピン挿脱作業時にブームフットピンと油圧配管等の周りの構造物とが干渉したり同ピンが脱落したりするおそれがなくなり、ピン自身や構造物の損傷を確実に防止することができる。
【００１７】
また、請求項２の発明によると、サイド、フロント両カバーで覆われた機器室内にピン挿脱空間を形成し、このピン挿脱空間に設けたブラケットに、ピンガイドとサイド、フロント両カバーの取付部を設けたから、いいかえれば、カバー取付用の構造物として元々必要なブラケットにピンガイドを設けたから、機器室内の構造をコンパクトにし、コストを安くすることができる。
【００１８】
しかも、ピンガイドによってブラケットを補強し、カバー取付用構造物としての強度を高めることができる。
【００１９】
さらに請求項３の発明によると、機器室を外部に開放可能に構成した上でブラケットに工具箱を設けたから、ブラケットをより多機能化、集約化し、工具箱を含めた機器室内の構造を一層コンパクト化することができる。
【発明を実施するための最良の形態】
【００２０】
本発明の実施形態を図１〜図６によって説明する。
【００２１】
実施形態では油圧ショベルに適用した場合を例にとっている。図１〜図３にこの油圧ショベルの上部旋回体２１を示す。
【００２２】
この上部旋回体２１の基本構成は図７,８に示す従来のものと同じである。
【００２３】
すなわち、上部旋回体２１はアッパーフレーム２２を備え、このアッパーフレーム２２の左側にキャビン２３が設置されるとともに、このキャビン２３よりもアッパーフレーム内側（左右方向中間部）に左右一対のブーム取付フレーム２４,２４が設けられ、このブーム取付フレーム２４,２４にブーム２５の基端部（ブームフット）２５ａがブームフットピン２６によって取付けられる。なお、図２において、図の簡明化のために取付フレーム２４の図示を省略している。
【００２４】
また、アッパーフレーム２２の右側面部にサイドカバー２７、前面部と上面部に跨る部分にフロントカバー２８がそれぞれ設けられ、この両カバー２７,２８で覆われた機器室２９に各種機器類が設置される一方、燃料タンク３０及び作動油タンク３１が機器室２９の後方において左右に並設されている。
【００２５】
機器室２９内の機器類は、ブームフットピン２６の挿脱線Ｌまわりに同ピン２６を挿脱するのに十分なピン挿脱空間（とくに符号は付していない）が確保される状態で設置され、このピン挿脱空間においてアッパーフレーム２２に、両カバー２７,２８を取付けるための支持体となるブラケット３２が取付けられている。
【００２６】
このブラケット３２には、図４等に示すようにサイドカバー２７の開閉支点となるヒンジ（図示省略）が取付けられるヒンジ取付ピン３３ａ,３３ａ（図４参照）を備えたサイドカバー取付部３３と、フロントカバー２８が取付けられるフロントカバー取付部３４とが設けられている。
【００２７】
フロントカバー２８は、機体上面側から各部のメンテナンスを行うための複数段の昇降用ステップ２８ａ…を備えたステップ兼用カバーとして構成され、その上部がフロントカバー取付部３４に取付け、支持される。
【００２８】
また、ブラケット３２の高さ方向の中間部においてピン挿脱線Ｌ上にピンガイド３５が設けられている。
【００２９】
このピンガイド３５は、ブームフットピン２６が軸方向に挿通し得る断面サイズを持った水平な四角筒状に形成され、ブームフットピン２６が挿脱時にこのピンガイド３５によって挿脱方向に案内される。
【００３０】
すなわち、ブームフットピン２６は、サイドカバー２７を開いた状態で右側に引き抜かれ、右側から挿入される。
【００３１】
この場合、同ピン２６は、取付フレーム２４,２４から引き抜かれながらピンガイド３５に嵌まり込み（図６参照）、ここで支持、案内される。また、ピン挿入時には、ピンガイド３５に支持、案内されながら取付フレーム２４,２４に挿入される。
【００３２】
このピンガイド３５の支持、案内作用により、ブームフットピン２６がピン挿脱線Ｌ上で挿脱され、ピン挿脱線Ｌに対して傾くおそれがないため、この挿脱作業時に同ピン２６が油圧配管等の周りの構造物と干渉したり脱落したりするおそれがなくなり、ピン自身や構造物の損傷を確実に防止することができる。
【００３３】
また、サイド、フロント両カバー２７,２８で覆われた機器室２９内にピン挿脱空間を形成し、このピン挿脱空間に設けたブラケット３２に、ピンガイド３５とサイド、フロント両カバー２７,２８の取付部３３,３４を設けたから、いいかえれば、カバー取付用の構造物として元々必要なブラケット３２にピンガイド３５を設けたから、このピンガイド３５を別個独立して設ける場合と比較して、機器室２９内の構造をコンパクトにし、コストを安くすることができる。
【００３４】
加えて、ピンガイド３５によってブラケット３２を補強し、カバー取付用構造物としての強度を高めることができる。
【００３５】
さらにこの実施形態では、サイドカバー２７を開くとブラケット３２を含めた機器室２９内が外部に開放される点に着目し、ブラケット３２におけるピンガイド３５の下方に各種工具類が外部から出し入れされる工具箱３６が設けられている。
【００３６】
こうすれば、ブラケット３２をより多機能化、集約化し、機器室２９内の構造を一層コンパクト化することができる。
【００３７】
他の実施形態
（１）  上記実施形態では、機器室２９の前面と上面に跨る部分にステップ兼用のフロントカバー２８を取付ける場合を例示したが、ステップ無しの専用フロントカバーを取付けてもよい。
【００３８】
また、上記実施形態のフロントカバー取付部３４に、燃料タンク３０に給油するための給油ホースと給油ポンプを備えた給油ユニットを取付けてもよい。この場合、フロントカバー２８は、給油ユニットのさらに上面に重ねて取付けるようにしてもよいし、ブラケット３２に別途設けたフロントカバー取付部に取付けるようにしてもよい。
【００３９】
（２）  上記実施形態ではブラケット３２に、ピンガイド３５のほか、サイドカバー、フロントカバー両取付部３３,３４及び工具箱３６の三者を設けたが、この三者のうちの二者または一者のみを設けてもよい。あるいは、三者に加えて他の設備を取付けるための取付部を追加してもよい。
【００４０】
（３）  ピンガイド３５の形状は、要はブームフットピン２６を支持、案内できるものであればよく、四角筒状に限らず円筒状等、適宜選択することができる。
【図面の簡単な説明】
【００４１】
【図１】本発明の実施形態にかかる油圧ショベルの上部旋回体の平面図である。
【図２】同一部切欠側面図である。
【図３】同斜視図である。
【図４】ピンガイドを備えたブラケットの斜視図である。
【図５】図２の一部を拡大した図である。
【図６】図５のＶＩ−ＶＩ線断面図である。
【図７】従来の油圧ショベルの全体側面図である。
【図８】同平面図である。
【符号の説明】
【００４２】
２１  上部旋回体
２２  アッパーフレーム
２３  キャビン
２５  ブーム
２６  ブームフットピン
Ｌ  ピン挿脱線
２７  サイドカバー
２８  フロントカバー
２９  機器室
３２  ブラケット
３３  ブラケットのサイドカバー取付部
３４  フロントカバー取付部
３５  ピンガイド
３６  工具箱
【図１】
2008019620.tif 000003
【図２】
2008019620.tif 000004
【図３】
2008019620.tif 000005
【図４】
2008019620.tif 000006
【図５】
2008019620.tif 000007
【図６】
2008019620.tif 000008
【図７】
2008019620.tif 000009
【図８】
2008019620.tif 000010